(57)【要約】      （修正有）【課題】新規部品を用意することなく、グリップ部が一体になったレンズを快適に使用出来るカメラリグを提供する。【解決手段】撮像装置に対して着脱自在に構成され、ベース部材と、肩当てパッドと、水平方向にベース部材から突出している２本の棒状部材を有する撮像装置保持部材において、棒状部材に沿って摺動自在な摺動部材を有し、摺動部材に対して連結された第一の形態と、分離された第二の形態を任意に変更可能な把持部を有し、摺動部材は棒状部材に係合する係合部を２個有し、径合部の上端と比して凹となる平面には貫通穴を有し、摺動部材の下方に爪部１２４を少なくとも２対有し、爪部１２４の一方は、貫通穴の近傍に設けられており、第二の形態で、摺動部材は撮像装置の光学部を支持するサポート受け部１２９を、摺動部材の光軸方向最外形部から出ない位置で保持可能とする。【選択図】図１１
2017198769.tif 000002
【特許請求の範囲】
【請求項１】
撮像装置に対して着脱自在に構成され、ベース部材と、表面を弾性部材で形成されている肩当てパッドと、前記撮像装置と一体となった状態で前記撮像装置の光軸に対して水平方向に並行に前記ベース部材から突出している２本の棒状部材と、を有する撮像装置保持部材において、前記棒状部材に軸支され、前記棒状部材に沿って摺動自在に構成される摺動部材と、把持部を有し、前記把持部が前記摺動部材に対して連結された第一の形態と、前記摺動部材から分離された第二の形態を任意に変更可能に構成され、前記摺動部材は前記棒状部材に径合する径合部を２個有し、前記２個の径合部を結ぶ、前記径合部の上端と比して凹となる平面を有し、前記平面上には、前記２個の径合部を結ぶ方向に長手をとる上下に連通した貫通穴を前記２個の径合部の中央に有し、前記摺動部材の下方に前記貫通穴に対して対称な位置で前後で対となる、爪部を少なくとも２対有し、前記対となる爪部の一方は、前記貫通穴の近傍に設けられており、前記撮像装置と一体となった状態で、かつ前記第二の形態で、前記摺動部材は前記撮像装置の光学部を支持するサポート部材を、前記摺動部材の前記光学部の光軸方向最外形部から凸しない位置で保持可能なことを特徴とする撮像装置保持部材。
【請求項２】
前記第一の形態時においては、前記サポート部材は前記把持部の一部を構成していることを特徴とする請求項１に記載の撮像装置保持部材。
【請求項３】
前記サポート部材が、下方最外形では無いことを特徴とする請求項１又は請求項２に記載の撮像装置保持部材。
【発明の詳細な説明】
【技術分野】
【０００１】
本発明は、撮像装置を安定的に肩に担ぐための撮像装置保持部材の構造に関する。
【背景技術】
【０００２】
業務用のビデオカメラは、安定して長時間撮影するために、撮影者の肩に担いで撮影する肩乗せ型での撮影スタイルへのニーズが強くある。このニーズを満たすため、肩乗せ型に対応していないビデオカメラ本体と接続して、肩に担ぐことが出来るようにするカメラリグが多く市販されている。カメラリグには、担いだ際に撮影者の肩にかかる負担を軽減するため、肩に当たる部位にショルダーパッドが設けられていることが一般的である。
【０００３】
一般的なショルダーパッドは、発泡ポリエチレンなどのクッション性のある材料が用いられ、さらに肩の上でビデオカメラを安定させるために、肩の形状にフィットするように下側には凹部が設けられている。
【０００４】
また、安定して保持するために、グリップ部が一体となったカメラリグも多々提案されている。またここで、業務用のビデオカメラでは、被写体の距離等によって使用するレンズを最適な物に交換出来る構造となっていることが一般的である。この様な交換型のレンズにはレンズ本体にグリップ部が付いている物、ついていない物など、様々な形態のものがある。また、望遠用の長いレンズを使用する場合には、ビデオカメラ本体のレンズ取り付け部に過度の負荷が掛からないよう、レンズ先端側をレンズサポートを用いてカメラリグと接続させて保持する構成が一般的である。
【０００５】
グリップ付きのカメラリグを組み付けたビデオカメラにグリップ付きのレンズを取り付けようとすると、互いのグリップ部が干渉してしまい、同時に使う事が出来ない。
【０００６】
この問題に対応するため、グリップ部を後方に退避可能に構成されているものが提案されている（特許文献１参照）。
【先行技術文献】
【特許文献】
【０００７】
【特許文献１】特開平５−１５０３５８号公報
【発明の概要】
【発明が解決しようとする課題】
【０００８】
特許文献１に記載の従来の技術では、干渉しない位置までグリップ部を退避することが出来るため、グリップ付きのレンズを取り付けて使用することは可能になるが、グリップ部が二つになってしまい、把持した時に非常に邪魔になり操作性を損ねてしまうという問題があった。また、レンズサポートを取り付けるための土台を新たにカメラリグ側に設ける必要があり、リグの重量増を招き、長い時間肩に担ぐことの妨げとなっていた。また、レンズサポート用の土台を別途用意する必要があり、非常に煩雑であった。
【０００９】
そこで、本発明は、新規部品を用意することなく、グリップ部が一体になったレンズを快適に使用出来るカメラリグを提供することを目的としてなされたものである。
【課題を解決するための手段】
【００１０】
上記の目的を達成するために、本発明に係る撮像装置保持部材は、
撮像装置に対して着脱自在に構成され、ベース部材と、表面を弾性部材で形成されている肩当てパッドと、前記撮像装置と一体となった状態で前記撮像装置の光軸に対して水平方向に略並行に前記ベース部材から突出している２本の棒状部材、を有する撮像装置保持部材において、前記棒状部材に軸支され、前記棒状部材に沿って摺動自在に構成される摺動部材を有し、前記摺動部材に対して連結された第一の形態と、前記摺動部材から分離された第二の形態を任意に変更可能に構成された把持部を有し、前記摺動部材は前記棒状部材に径合する径合部を２個有し、前記２個の径合部を結ぶ、前記径合部の上端と比して凹となる平面を有し、前記平面上には、前記２個の径合部の略中央に前記２個の径合部を結ぶ方向に長手をとる上下に連通した貫通穴を有し、前記摺動部材の下方に前記貫通穴に対して略対称な位置で前後で対となる、爪部を少なくとも２対有し、前記対となる爪部の一方は、前記貫通穴の近傍に設けられており、前記撮像装置と一体となった状態で、かつ前記第二の形態で、前記摺動部材は前記撮像装置の光学部を支持するサポート部材を、前記摺動部材の前記光学部の光軸方向最外形部から凸しない位置で保持可能なことを特徴とする。
【発明の効果】
【００１１】
本発明に係る撮像装置保持部材によれば、新規部品を用意することなく、グリップ部が一体になったレンズを快適に使用出来るリグを提供することが可能となる。
【図面の簡単な説明】
【００１２】
【図１】肩乗せ型撮像装置の斜視図
【図２】本体部の斜視図
【図３】肩乗せユニットを下から見た図
【図４】グリップユニットの斜視図
【図５】カメラリグの斜視図
【図６】グリップベースの斜視図
【図７】グリップベースの側面図
【図８】グリップベースの上面図
【図９】下側からの分解斜視図
【図１０】グリップ付き望遠レンズを取り付けた図
【図１１】レンズサポートとグリップベースの連結を示す斜視図
【図１２】レンズサポートとグリップベースの連結を示す底面図
【図１３】レンズサポートとグリップベースの連結を示す側面図
【図１４】グリップベースの取付状態を示す図
【図１５】グリップユニットの分解斜視図
【発明を実施するための形態】
【００１３】
以下に、本発明の実施形態を添付図面に基づいて説明する。
【００１４】
［実施の形態］
＜肩乗せ型撮像装置の構成要素説明＞
まず最初に図１を用いて本実施例に示す肩乗せユニット１０２とビデオカメラ１０１を接続した状態である、肩乗せ型撮像装置１００の構成を説明する。
【００１５】
図１（ａ）は本実施例に示す肩乗せ型撮像装置１００を前側から見た斜視図である。図１（ｂ）は本実施例に示す肩乗せ型撮像装置１００を後側から見た斜視図である。
【００１６】
なお、本実施例に示す形態においては、被写体に向かう方向で上下左右とし、被写体側を正面と定義し説明を行う。
【００１７】
本実施例に示す肩乗せ型撮像装置１００は、図１に示すように、ビデオカメラ１０１、肩乗せユニット１０２、レンズ部１０３、グリップユニット１０４から構成されている。肩乗せ型撮像装置１００を使用する際には、撮影者が自身の右肩の上に肩乗せユニット１０２を乗せる形で担ぎ、肩乗せ型撮像装置１００の左側面に撮影者の右頬を当てながら、右手でグリップユニット１０４を把持しバランスを取りながら保持する形態を取ることが最も安定して撮影出来る姿勢である。そのため、本実施例に示す肩乗せ型撮像装置１００も、この撮影姿勢を前提に各部の配置を行っている。
【００１８】
次に、肩乗せ型撮像装置１００の各構成要素について説明を行う。ビデオカメラ１０１は、肩乗せ型撮像装置１００の撮影に関する主たる要素を持った部位であり、その詳細は後述する。肩乗せユニット１０２は、ビデオカメラ１０１の底面部に接続されるユニットであり、撮影時には撮影者の肩に当接し、肩乗せ型撮像装置１００を安定的に保持する部位である。なお、その詳細は後述する。
【００１９】
レンズ部１０３は、複数枚のレンズ群、絞り等の可動可能な複数の光学要素、およびこれらの光学要素を駆動させるアクチュエータを有しており、ビデオカメラ１０１に内包されている撮像素子（不図示）上に結像する光学系である。なお、所定のレンズを移動させることにより、撮影画像の画角を変化させるズームや、被写体にピントを合わせるフォーカスを行うことができる。また、レンズ部１０３はビデオカメラ１０１に対して着脱自在に構成されている。
【００２０】
グリップユニット１０４は、肩乗せユニット１０２に対して機械的に接続され、ビデオカメラ１０１に対して電気的に接続されているユニットであり、撮影時に手を添えて肩乗せ型撮像装置１００を保持するための部位である。なお、その詳細は後述する。
グリップユニット１０４は前述の肩乗せユニット１０２と接続することにより、ビデオカメラ１０１を肩に担いで撮影をするためのカメラリグ１０５として機能する。なお、グリップユニット１０４の肩乗せユニット１０２への接続方法については後述する。
【００２１】
＜ビデオカメラの構成要素説明＞
次に、ビデオカメラ１０１の構成要素について説明を図２を用いて説明する。
【００２２】
図２は本実施例に示すビデオカメラ１０１を下側後方から見た斜視図である。
【００２３】
ビデオカメラ１０１は、図２に示すように、レンズマウント部１０６、複数のネジ穴１０７、コネクタ１０８を備えている。レンズマウント部１０６は、ビデオカメラ１０１の正面に設けられている、レンズ部１０３が取りつく部位であり、レンズ部１０３が機械的に取りつくだけでは無く、電気接点部を備えており、ビデオカメラ１０１とレンズ部１０３とは電気的にも接続される。これにより、ビデオカメラ１０１はレンズ部１０３と通信し、レンズ部１０３の内部にあるアクチュエーターを制御することが可能となっている。
【００２４】
ネジ穴１０７は雌ネジであり、ビデオカメラ１０１の底面側に前後方向に所定の間隔で等間隔に複数設けられている。コネクタ１０８は、後述のグリップユニット１０４のケーブル１１９が接続される場所であり、この部位を通じてグリップユニット１０４側からの各種操作支持をビデオカメラ１０１側へ伝達する。それ以外にも、操作部、バッテリー、表示部、集音部、把持部、撮像素子、制御回路、記録部などを備えており、ビデオカメラ１００単独で映像を記録することが可能な構成となっている。
【００２５】
＜肩乗せユニットの構成要素説明＞
次に肩乗せユニット１０２の構成要素について図３を用いて説明する。
【００２６】
図３は肩乗せユニット１０２を下側から見た図である。
【００２７】
肩乗せユニット１０２は図３に示すように、ベース部材１０９、、前側三脚座１１０、後ろ側三脚座１１１、バー１１２、バーストッパー１１３、グリップベース１１４、前側ショルダーパッド１１５、後ろ側ショルダーパッド１１６から構成されている。
【００２８】
ベース部材１０９は、肩乗せユニット１０２を構成する種々の部材が取りつけるための土台となるための部材である。また、ベース部材１０９には、上下方向に貫通する前後に長い長穴１０９１が左右対称な形で複数設けられている（図３中では４箇所）。前側三脚座１１０、後ろ側三脚座１１１は、図中不図示の三脚に対して肩乗せ型撮像装置１００を固定するための部材であり、それぞれ三脚側の固定機構の形状に対応した形状をしている。なお前側三脚座１１０と後ろ側三脚座１１１は所定の間隔をもってベース部材１０９に対して強固に固定されている。
【００２９】
バー１１２は、ベース部材１０９から前方に突出する形で２本配設されている棒状の中空部材であり、２本のバー１１２は並行に併設されている。なお、バー１１２はベース部材１０９から取り外すことも可能な構成となっている。バーストッパー１１３は、２本のバー１１２の先端側に固定されている２本のバー１１２を繋ぐ部材であり、２本のバー１１２に対して強固に固定されている。
【００３０】
グリップベース１１４は、２本のバー１１２に吊られる形でベース部材１０９とバーストッパー１１３に挟まれる形で肩乗せユニット１０２に接続されている。そして、グリップベース１１４は、２本のバー１１２に沿って前後方向に摺動可能かつ任意の位置にて固定可能な構成となっている。なお、グリップベース１１４の前後方向への移動機構は既知の技術を用いた移動機構であるため、その構造等の詳細は本実施例では割愛する。
【００３１】
前側ショルダーパッド１１５は、ベース部材１０９の下側に設けられた撮影時に撮影者の肩に当接する部位であり、表面を発泡ポリエチレンなどのクッション性のある材料で構成し、金属製のフレームが内包されている部材である。
【００３２】
後ろ側ショルダーパッド１１６も、前側ショルダーパッド１１５と同様にベース部材１０９の下側に設けられた撮影時に撮影者の肩に当接する部位であり、表面を発泡ポリエチレンなどのクッション性のある材料で構成し、金属製のフレームが内包されている部材である。前側ショルダーパッド１１５及び後ろ側ショルダーパッド１１６は、共に、一部露出しているフレーム部を用いてべース部材１０９と一体となるよう強固に固定されている。
【００３３】
前側ショルダーパッド１１５及び後ろ側ショルダーパッド１１６は、撮影時には肩乗せ型撮像装置１００の自重を受ける。それにより、表面近傍の発泡ポリエチレンで形成されている部位が変形するが、内部にフレームが入っているため全体としては大きく変形することなく、一定の範囲内で形状を維持する。そのため肩乗せ型撮像装置１００を安定して保持することが可能となる。
【００３４】
＜グリップユニットの詳細説明＞
次に、グリップユニット１０４の詳細について図４を用いて説明する。
【００３５】
図４はグリップユニット１０４の斜視図である。
【００３６】
グリップユニット１０４は、図４に示すように、グリップ本体１１７、Ｌ字アングル１１８、ケーブル１１９、操作部１２０から構成されている。グリップ本体１１７は、肩乗せ型撮像装置１００を使用する際に撮影者の右手で把持される部位である。
【００３７】
Ｌ字アングル１１８は、強固な金属で形成されたＬ字型の部品であり、Ｌ字の一端はグリップ本体１１７と着脱可能に連結されている。そして、Ｌ字の他端部側は面の略中央部に長穴形状の開口部１１８１を有した形状をしている。ケーブル１１９はビデオカメラ１０１のコネクタ１０８と電気的に接続するためのケーブルであり、グリップ本体１１７の内部で操作部１２０と電気的に接続されている。操作部１２０は、ズームや絞り等のレンズ部１０３のアクチュエーターを操作する部位や記録の開始停止を指示するトリガーキーなど各種操作部など撮影時に使用する操作系であり、撮影時に使用する操作を片手でスムーズに行えるようになっている。
【００３８】
＜カメラリグの詳細説明＞
次に、カメラリグ１０５の詳細について説明する。
【００３９】
図５はカメラリグ１０５の構成を示す斜視図である。
【００４０】
カメラリグ１０５は図５に示すように肩乗せユニット１０２のグリップベース１１４部にグリップユニット１０４を連結したユニットである。
【００４１】
ここで、グリップベース１１４の詳細について図６〜図８を用いて説明する。
【００４２】
図６はグリップベース１１４の詳細を示す斜視図である。図７はグリップベース１１４の詳細を示す側面図である。図８はグリップベース１１４の詳細を示す上面図である。
【００４３】
グリップベース１１４は、水平方向に伸びるベース面１２１の左右両端に、前後方向に貫通した筒状のバー保持部１２２が設けられている。この時、バー保持部１２２はベース面１２１に対して上側に突出する形で構成されている。そして、２つのバー保持部１２２の略中央部のベース面１２１上には上下貫通する横長の貫通穴１２３が設けられている。そして、グリップベース１１４の前後端には左右に分かれた対になっている爪部１２４が２つのバー保持部１２２の間に２対設けられている。
【００４４】
爪部１２４は下側に向かって突出しており、なおかつ下側端部はグリップベース１１４の内側に向かい伸延され、グリップベース１１４の下側までを覆うコの字形状をしている。また、爪部１２４の前後方向のそれぞれの端面はバー保持部１２２の前後方向のそれぞれの端面よりも凸した形状をしている。ここまでで、グリップベース１１４の詳細形状の説明を行った。ここからは肩乗せユニット１０２とグリップユニット１０４を連結する手順を図５に戻り説明する。
【００４５】
肩乗せユニット１０２とグリップユニット１０４を連結する際には、まずグリップユニット１０４のＬ字アングル１１８を、グリップベース１１４の爪部１２４に下側を支えられる形になるように右側から挿入した後、抜け止め部材１２５をＬ字アングル１１８の開口部１１８１を貫通する形で下側からグリップベース１１４に取り付ける。その後に、Ｌ字アングル１１８と抜け止め部材１２５を挟みこむ形で抜け止めボルト１２６にて下側からグリップベース１１４に対して固定することで肩乗せユニット１０２とグリップユニット１０４は連結されている。
【００４６】
このとき、Ｌ字アングル１１８の開口部１１８１の左右方向の幅は、抜け止め部材１２５の貫通部位に対して十分に大きく設定されている。そのため、カメラリグ１０５は抜け止めボルト１２６を少し緩めるだけで、グリップユニット１０４をグリップベース１１４に対して左右方向に所定の範囲内で任意の位置に移動することが可能な構成となっている。
【００４７】
また、グリップベース１１４は前述のようにベース部材１０９とバーストッパー１１３に挟まれる形で２本のバー１１２に摺動可能に吊られている。そのため、撮影者の肩に乗っている前後のショルダーパッド１１５、１１６に対してグリップベース１１４を前後方向に所定の範囲内で任意の位置に移動することが可能な構成となっている。
以上のことより、撮影者の体格や使用レンズに合わせて把持する位置を前後左右に調整することが可能となっており、非常に使い勝手の良い物となっている。また、グリップユニット１０４は上記取り付け手順の逆の手順を踏むことで肩乗せユニット１０２から容易に分離することが可能になっている。
【００４８】
ここまでで、肩乗せ型撮像装置１００を構成するビデオカメラ１０１及び肩乗せユニット１０２とグリップユニット１０４から成るカメラリグ１０５の構成を説明したが、肩乗せ型撮像装置１００は、この他にも動画を記録するための機能を果たす為に必要な種々の構成要素を有している。しかし、その構成や機能の詳細は本発明の本質にかかわりが少ないため説明を省略する。
【００４９】
＜カメラリグの締結方法説明＞
次にビデオカメラ１０１に対するカメラリグ１０５の固定方法を図９を用いて説明する。
【００５０】
図９はビデオカメラ１０１に対するカメラリグ１０５の固定方法を示す下側からの分解斜視図である。
【００５１】
カメラリグ１０５のビデオカメラ１０１に対する固定方法は、図９に示すように、ベース部材１０９に設けられている長穴１０９１を取付ネジ１２７が貫通し、ベース部材１０９を挟み込む形でビデオカメラ１０１下側のネジ穴１０７の一部に対して締結される。
【００５２】
ネジ穴１０７は前後方向に所定の間隔を開けて複数配置されているため、カメラリグ１０５は前後方向に複数の取付ポジションを取ることが可能である。なお、取付ネジ１２７が長穴１０９１を貫通する形でベース部材１０９を固定しているため、長穴の幅の中で取付け位置の微調整を行うことが可能な構成となっている。
【００５３】
＜レンズサポートに関する説明＞
次にグリップ部が付いている望遠レンズ１０３１を取り付けた場合について図１０を用いて説明する。
【００５４】
図１０はグリップ付き望遠レンズを使用している状態を示す図である。
【００５５】
レンズマウント部１０６にグリップ部が一体になっている望遠レンズ１０３１を取り付ける際には、カメラリグ１０５からグリップユニット１０４を外し、肩乗せユニット１０２状態で使用する。そして、撮影者は右手で望遠レンズ１０３１に設けられているグリップ部を把持しながら撮影を行う。
【００５６】
グリップユニット１０４を外した肩乗せユニット１０２の状態であれば、ショルダーパッド部１１５、１１６を使用し安定的に肩に担ぎながら、何にも邪魔されることなく望遠レンズ１０３１のグリップ部を把持することが可能となり、グリップ部が一体になったレンズを非常に快適に使用することが可能となる。また、図１０に示すような、レンズマウント部１０６から前玉まで距離のあるレンズを使用する場合、その重量がレンズマウント部１０６にかかり、レンズマウント部１０６が破損してしまうことを防ぐために、レンズサポートを使用してレンズの前側を支える事が一般的である。
【００５７】
本実施例に示す肩乗せ型撮像装置においては、望遠レンズ１０３１の先端近傍にある、レンズサポート受け部１２９とグリップベース１１４とを後述のレンズサポート１２８により連結する構成となっている。なお、本実施例に示すレンズサポート受け部１２９はレンズ部１０３に強固に固定された、下向きの雌ネジである。ここで図１１〜図１３を用いてレンズサポート１２８とグリップベース１１４の連結について説明する。
【００５８】
図１１はレンズサポート１２８とグリップベース１１４の連結を示す斜視図である。なお、レンズ部１０３の本体は非表示とし、レンズサポート受け部１２９のみを表示している。図１２はレンズサポート１２８とグリップベース１１４の連結を示す底面図である。図１３はレンズサポート１２８とグリップベース１１４の連結を示す側面図である。
【００５９】
レンズサポート１２８は、レンズサポートネジ１３０とレンズサポートワッシャー１３１の２体から構成される部材であり、レンズサポートネジ１３０は雄ネジであり、その一端にネジ径に対して十分大きい円盤状の操作部１３０１が設けられている。レンズサポートワッシャー１３１は円盤状のワッシャーであり、中央部にはレンズサポートネジ１３０に対応した雌ネジを貫通して持っている。
【００６０】
この様な構成のレンズサポート１２８を使用する際には、グリップベース１１４に設けられている貫通穴１２３に下側からレンズサポートネジ１３０を挿入し、レンズサポート受け部１２９に対してねじ込んでいく。そして、操作部１３０１がグリップベース１１４の下面に対して付き当たり固定される。
【００６１】
さらに、グリップベース１１４とレンズサポート受け部１２９の間では、レンズサポートワッシャー１３１を上側からベース面１２１に対して締め込んで行き、グリップベース１１４をレンズサポートネジ１３０の操作部１３０１とで挟む形で固定する。上下からグリップベース１１４を挟む形となるため、レンズサポート１２８はグリップベース１１４に対して強固に固定される。
【００６２】
なお、レンズサポートワッシャー１３１が閉め込まれるベース面１２１は、前述のとおり左右にあるバー保持部１２２よりも凹んだ位置に配置されている。そのため、レンズサポート１２８を使用中に不用意にレンズサポートワッシャー１３１に何かが当たり、不用意に緩んでしまう事を防止する構成となっている。
【００６３】
レンズサポート受け部１２９は、レンズ部１０３の光軸に対して略直下に配置されている。一方、本発明のカメラリグ１０５はビデオカメラ１０１に対して取り付け位置の微調整が出来るように、明確に位置決めを行わない構成となっている。そのため、レンズサポート受け部１２９とグリップベース１１４の貫通穴１２３の中央部の横方向の位置が相対的にずれてしまう可能性ある。
【００６４】
しかし本実施例に示すグリップベース１１４の貫通穴１２３は横長に構成されているため、レンズサポート１２８の横方向のズレを貫通穴１２３の中で吸収することが可能である。これにより、取り付け時にレンズ部１０３に対して不要なテンションが掛かることを防ぐ非常に信頼性の高い構造であると言える。
【００６５】
そして、図１２に示すように、爪部１２４はサポートネジ１３０の操作部１０３１及びレンズサポートワッシャー１３１を避けた両脇に配置されている。この時、爪部１２４と操作部１０３１及びレンズサポートワッシャー１３１は前後方向でオーバーラップするように構成されている。これにより、グリップベース１１４の小型化を実現している。
【００６６】
この時、図１３に示すように、操作部１０３１及びレンズサポートワッシャー１３１は、バー保持部１２２の端部から外側に凸し、かつ爪部１２４のの端部よりは凹となるように構成されている。これにより、操作時には指で直接つかみ易いが、何かが当たり不用意に緩んでしまう事を防止する構成となっている。
【００６７】
また、貫通穴１２３は２つのバー保持部１２２の略中央部に配置されている。そのため、図１４に示すようにグリップベース１１４は前後どちら向きでもバー１１２に対して取り付けてレンズサポート１２８を使用する事が可能である。これにより、使用するレンズや周囲のアクセサリーの形状に合わせて取付方向を選択することが可能であり、非常に汎用性が高い物となっている。
【００６８】
また、レンズサポート１２８を使用して望遠レンズ１０３１を固定している状態において、レンズサポート１２８の最下面部は、肩乗せユニット１０２の最下面部よりも上側に構成されている。これにより、肩乗せ型撮像装置１００を床に置いた際にレンズサポート１２８が付き当たり、望遠レンズ１０３１に力が加わることとが無いようになっている。
【００６９】
＜未使用時のレンズサポートに関する説明＞
次にレンズサポート１２８を使用していない時について図１５を用いて説明する。
【００７０】
図１５はグリップユニット１０４の分解斜視図である。
【００７１】
レンズサポート１２８を構成している、レンズサポートネジ１３０とレンズサポートワッシャー１３１は、レンズサポート１２８として使用しない際には、レンズサポートネジ１３０は、抜け止めボルト１２６として構成されている。また、レンズサポートワッシャー１３１は、Ｌ字アングル１１８に対してグリップ本体１１７を固定する際のグリップ固定ネジ１３２の抜け止めとして使用されている。
【００７２】
以上のことより、レンズサポート１２８を使用しない場合は、レンズサポート１２８の構成部品はグリップユニット１０４の固定を行う部材として機能している。このように、レンズサポート１２８を使用しない際にはグリップユニット１０４の固定に用いることによって、レンズサポート１２８を使用しない時でも常に肩乗せ型撮像装置１００と一体となって持ち運ぶ事が可能となり、非常に効率的な構成となっている。
【００７３】
以上、本発明をその好適な実施形態に基づいて詳述してきたが、本発明は上記実施例に示す形態のみに限定されるものではなく、本発明と同様の効果が得られるものであれば、この発明の要旨を逸脱しない範囲の様々な形態も本発明に含まれる。また、上述の実施形態の一部を適宜組み合わせてもよい。
【符号の説明】
【００７４】
１００  肩乗せ型撮像装置、１０１  ビデオカメラ、１０２  肩乗せユニット、
１０３  レンズ部、１０３１  望遠レンズ、１０４  グリップユニット、
１０５  カメラリグ、１０６  レンズマウント部、１０７  ネジ穴、１０８  コネクタ、
１０９  ベース部材、１０９１  長穴、１１０  前側三脚座、１１１  後ろ側三脚座、
１１２  バー、１１３  バーストッパー、１１３１  望遠レンズ、
１１４  グリップベース、１１５  前側ショルダーパッド、
１１６  後ろ側ショルダーパッド、１１７  グリップ本体、１１８  Ｌ字アングル、
１１８１  開口部、１１９  ケーブル、１２０  操作部、１２１  ベース面、
１２２  バー保持部、１２３  貫通穴、１２４  爪部、１２５  抜け止め部材、
１２６  抜け止めボルト、１２７  取り付けネジ、１２８  レンズサポート、
１２９  レンズサポート受け部、１３０  レンズサポートネジ、１３０１  操作部、
１３１  レンズサポートワッシャー、１３２  グリップ固定ネジ
【図１】
2017198769.tif 000003
【図２】
2017198769.tif 000004
【図３】
2017198769.tif 000005
【図４】
2017198769.tif 000006
【図５】
2017198769.tif 000007
【図６】
2017198769.tif 000008
【図７】
2017198769.tif 000009
【図８】
2017198769.tif 000010
【図９】
2017198769.tif 000011
【図１０】
2017198769.tif 000012
【図１１】
2017198769.tif 000013
【図１２】
2017198769.tif 000014
【図１３】
2017198769.tif 000015
【図１４】
2017198769.tif 000016
【図１５】
2017198769.tif 000017